【事件の表示】
　特願２００９−１８４８８９「撮像画像再生装置及びプログラム」拒絶査定不服審判事件〔平成２３年　２月２４日出願公開、特開２０１１−　４０８９８〕について、次のとおり審決する。
【結　論】
　本件審判の請求は、成り立たない。
【理　由】
第１　経緯  
１．手続　
　本願は、平成２１年８月７日の出願であって、手続の概要は以下のとおりである。
 　
手続補正　　　　　　　　　　：平成２４年　７月２７日
拒絶理由通知　　　　　　　　：平成２５年　７月１０日（起案日）
手続補正　　　　　　　　　　：平成２５年　９月１３日
拒絶査定　　　　　　　　　　：平成２６年　２月　６日（起案日） 
拒絶査定不服審判請求　　　　：平成２６年　４月２２日
手続補正　　　　　　　　　　：平成２６年　４月２２日
前置審査報告　　　　　　　　：平成２６年　６月２５日
上申書　　　　　　　　　　　：平成２６年　８月　４日
　
２．査定
　原審での査定の理由は、概略、以下のとおりである。
　本願の各請求項に係る発明（平成２５年９月１３日付け手続補正書による）は、下記刊行物に記載された発明および周知技術に基づいて当業者が容易に発明をすることができたものであるから、特許法第２９条第２項の規定により、特許を受けることができない。
　　　　　記　
刊行物１：特開２００１−１６９２２３号公報  
刊行物２：特開２００９−１７１１１０号公報  
刊行物３：特開２００８−２８９０７０号公報  
刊行物４：特開２００８−２４４７０８号公報
刊行物５：特開２００６−２２９６３１号公報
刊行物６：特開２００２−９４８７０号公報
　
第２　補正却下の決定 
　平成２６年４月２２日付けの手続補正について次のとおり決定する。 
　　
《結論》
　平成２６年４月２２日付けの手続補正を却下する。
 　
《理由》
　
１．補正の内容
　平成２６年４月２２日付けの手続補正（以下「本件補正」という。）は、特許請求の範囲についてする下記の補正事項を含むものである（下線は補正箇所示すため当審が付与した）。
　
　請求項１について  
「表示手段と、
　記録手段に記録されたパノラマ画像に関連付けて記録されている方位を示す情報に基づいて、当該パノラマ画像を所定の方位が中心となるように、且つ、前記方位を示す情報とともに前記表示手段に表示させる表示制御手段と
を具備したことを特徴とする撮像画像再生装置。」（補正前）
　とあるのを、  
　
「表示手段と、
　記録手段に記録されたパノラマ画像に関連付けて記録されている方位を示す情報に基づいて、当該パノラマ画像を所定の方位が中心となるように、且つ、前記方位を示す
第１の
と当該第１の情報と種類が異なる方位を示す第２の情報
　を具備したことを特徴とする撮像画像再生装置。」（補正後）  
　と補正する。  
 　
２．本件補正の適合性 
（２−１）補正の範囲  
　上記補正事項は、願書に最初に添付した明細書又は図面の記載（段落【００６８】，図６）に基づくものであり、願書に最初に添付した明細書又は図面に記載した事項の範囲内においてする補正である。  
 　  
（２−２）補正の目的  
　上記補正事項は、「方位を示す情報」の内容を限定するものであり、特許請求の範囲の減縮を目的とするものである。  
 　  
（２−３）独立特許要件  
　上記補正事項は、特許請求の範囲の減縮を目的とするものであるので、以下、独立特許要件について検討する。  
　
ア．補正後の請求項１に係る発明  
　本件補正後の請求項１に係る発明（以下「補正後発明」という。）は、以下のとおりである。  
 　  
　【請求項１】
　表示手段と、
　記録手段に記録されたパノラマ画像に関連付けて記録されている方位を示す情報に基づいて、当該パノラマ画像を所定の方位が中心となるように、且つ、前記方位を示す第１の情報と当該第１の情報と種類が異なる方位を示す第２の情報とともに前記表示手段に表示させる表示制御手段と
　を具備したことを特徴とする撮像画像再生装置。
　
イ．引用刊行物の記載  
（ａ）原査定の拒絶の理由に引用された刊行物である特開２００１−１６９２２３号公報（以下「刊行物１」という。）には、図面と共に次に掲げる事項が記載されている。 
　
【請求項１】  撮像レンズによる光学像を電気信号に変換する垂直に配列された１列のリニアイメージセンサを有した撮像カメラと、この撮像カメラを固定し回転させる回転雲台の部分に回転角度を精密に検出する回転角検出部と、前記回転角度から方位角を検出する方位角検出部と、前記方位角からビデオメモリへ映像情報を書き込む特定場所を決める書き込みアドレス演算部と、前記ビデオメモリから指定方位範囲の情報を読み出すための制御を行う表示方位制御部と、この表示方位制御部により読み出しアドレスを出力する読み出しアドレス演算部と、撮像されたパノラマ映像信号を前記撮像カメラの回転方位角に応じた特定のビデオメモリアドレスに記憶し、前記方位角を任意に指定して表示用映像信号を読み出すことを特徴とするパノラマ映像表示システム。
　
【０００１】
【発明の属する技術分野】本発明はパノラマ映像表示システムに関し、特に展望台又は移動体等からのパノラマ監視画像の撮像情報をもとに、任意の方位の画像を表示するパノラマ映像表示システムに関する。
　
【００１５】本発明の目的は、パノラマ撮像情報をもとに表示装置にて任意の方位を中心にして表示を行い、かつ任意の方向の画像を表示装置にて表示することができるパノラマ映像表示システムを提供することにある。
　
【００２２】
【発明の実施の形態】次に、本発明の実施の形態について図面を参照して説明する。
【００２３】図１は本発明のパノラマ映像表示システムの一つの実施の形態を示すブロック図である。
【００２４】図１に示す本実施の形態は、撮像レンズ１と、この撮像レンズ１と結合するカメラ部４と、このカメラ部４が出力する映像データを記憶するパノラマ映像信号ビデオメモリ部７と、カメラ部４を回転駆動する回転雲台１８と、この回転雲台１８の部分に設置され回転角度２１を出力する回転角検出部５と、この回転角度２１から方位角を検出し方位角情報２２およびカメラ方位角２５を生成出力する方位角検出部９と、方位角情報２２からパノラマ映像信号ビデオメモリ部７へ映像情報を書き込む領域を決めるアドレスデータ２３を出力する書き込みアドレス演算部８と、自己の進行方位角２６および進行方位角情報１９を出力する進行方位検出部６と、カメラ方位角２５および進行方位角２６の差分を演算し、差分情報２７を出力する差分演算部１０と、差分情報２７と進行方位角情報１９とから表示指定情報２４を補正変換処理し、パノラマ映像信号ビデオメモリ部７から指定方位範囲の情報を読み出すための制御を行う表示範囲情報２８を出力する表示方位制御部１６と、表示指定情報２４を出力する表示操作部１７と、表示範囲情報２８をもとにパノラマ映像信号ビデオメモリ部７から指定の表示範囲の映像データを読み出すための読み出しアドレス２９を出力する読み出しアドレス演算部１１と、パノラマ映像信号ビデオメモリ部７から読み出した読み出し映像データ３０をフレームメモリ出力データ３１として出力する表示用フレームメモリ１２と、フレームメモリ出力データ３１から表示ドライブ信号３９を出力するドライバ１３と、表示ドライブ信号３９から表示信号３２を変換出力する表示制御部１４と、表示信号３２を画面に表示する画像表示装置１５とから構成されている。
【００２５】図２はパノラマ映像方位角とメモリ空間との関係を示す説明図である。
【００２６】次に、図１および図２を参照して本実施の形態の動作をより詳細に説明する。
【００２７】回転雲台１８を含むカメラ部４は、撮像レンズ１を通して縦に１ライン配置されたリニアイメージセンサ２上に結像した映像信号を映像データ変換部３に取り入れ、ディジタルデータに変換後シリアル又はパラレルデータの形態の映像データ２０をパノラマ映像信号ビデオメモリ部７へ記憶するため供給する。
【００２８】一方、回転角検出部５は、カメラ部４の雲台の回転を例えば光学式ロータリーエンコーダを用いて検出し、その回転角度２１を出力する。分解能（３６００／１回転）のロータリーエンコーダを用いれば、０．１度単位で検出が可能である。方位角検出部９は、回転角検出部５からの回転角度２１の情報を得て、設置角度のズレ等の補正処理を行って方位角情報２２を生成出力する。書き込みアドレス演算部８は、方位角検出部９からカメラ部４の撮像の方位角情報２２をうけ、パノラマ映像信号ビデオメモリ部７へ映像信号を記憶するために書き込みアドレスのアドレスデータ２３を発生し、パノラマ映像信号ビデオメモリ部７の書き込みアドレスを制御する。この制御によりカメラ部４からの映像データ２０は、パノラマ映像信号ビデオメモリ部７の所定のアドレスに格納記憶される。なお、このアドレスデータ２３は、図２に示すように概念的には撮像対象３３に対して、カメラ部４が方位角θn で撮像した映像データ２０をビデオメモリ３４のメモリアドレスｎに格納記憶するように方位角θn に対応するようにしてある。
【００２９】同様に、方位角θn+1はメモリアドレスｎ＋１に、方位角θn+2はメモリアドレスｎ＋２に格納記憶される。
【００３０】一方、画像表示を行うため表示操作部１７から表示指定情報２４を入力し、表示方位制御部１６に伝達する。差分演算部１０は、方位角検出部９からのカメラ方位角２５と進行方位検出部６においてジャイロ等により検出した自己の進行方位角２６（例えば車両／船舶の向き）との差分を計算する。
【００３１】表示方位制御部１６は、差分演算部１０からの差分情報２７と、進行方位検出部６からの自己の進行方位角情報１９の情報とにより、表示操作部１７から入力される絶対角度又は自己進行方位を基準とする表示指定情報２４を補正・変換する処理を行い、カメラ部４の方位角検出系を基準にした方位に変換し、読み出しアドレス演算部１１に表示範囲情報２８を供給する。読み出しアドレス演算部１１は、表示方位制御部１６から供給される表示範囲情報２８をもとにパノラマ映像信号ビデオメモリ部７から指定の表示範囲の映像データを読み出すための読み出しアドレス２９を発生する。このとき図２に示すように、パノラマ映像信号ビデオメモリ部７へ書き込まれた縦ラインの情報を横ラインで映像データを読み出すようにし、読み出した読み出し映像データ３０を表示用フレームメモリ１２に転送する。このフレームメモリ出力データ３１をドライバ１３により表示ドライブ信号３９として表示制御部１４に供給し、表示制御部１４で表示信号３２に変換してから画像表示装置１５に表示する。このようにして、カメラ部４を回転させて撮像した映像の中から、所望の方位及び視野角範囲を選択して画像表示装置１５に表示することが可能となる。
　
【００４１】
【発明の効果】以上説明したように、本発明のパノラマ映像表示システムは、撮像レンズおよびイメージセンサ部を含むカメラヘッド部を回転雲台により回転させて得た垂直方向１ラインずつの画像信号をカメラ部の方位角に対応した記憶メモリに記録し、この記録された信号を読み出して映像信号に変換することにより、回転速度の違いに関係なく同一視野角の映像が画面表示できるので、撮像視野角が回転雲台の回転速度に左右されることがないという効果を有している。
【００４２】また、画像信号をカメラ部の方位角に対応した記憶メモリに記録しているため、所望する方位および視野角範囲に対応するビデオメモリのアドレスを指定して、この記録された信号を読み出して画像表示信号に変換することができるので、パノラマ撮像範囲において撮像した映像の中から、所望の方位及び視野角範囲を選択して画像表示することが可能となるという効果を有している。
（以上、刊行物１の記載）　
　
（ｂ）同じく、原査定の拒絶の理由に引用された刊行物である特開２００２−９４８７０号公報（以下「刊行物２」という。）には、図面と共に次に掲げる事項が記載されている。
　
【０００１】
【発明の属する技術分野】本発明はカメラに関し、特に、カメラの撮影範囲表示・記憶技術に関する。
　
【０００３】
【発明が解決しようとする課題】しかしながら、上述した従来技術のように上記撮影地点とその地点からどの方向を撮影したかを矢印などで表現するように構成しただけでは撮影範囲が漠然としていて撮影時の情報として十分とはいえないといった問題点があった。また、スルー画像表示中に撮影方向を表示するよう構成した場合も、撮影方向を決定する際の参考にはなるが撮影ガイド情報として十分とはいえないといった問題点があった。本発明は上記課題を解決するためになされたものであり、撮影待機時や撮影後に撮影範囲を表示可能としたカメラ装置、表示装置、撮影範囲表示方法及び撮影範囲記憶方法の提供を目的とする。
  　
【００２５】
【発明の実施の形態】１．カメラ装置の構成例
図１は本発明のカメラ装置の一実施例の構成を示すブロック図であり、デジタルカメラ１００は、図１（ａ）に示すように、方位センサ１、撮像部２、制御部３、操作部４、ＤＲＡＭ５、フラッシュメモリ６及び表示部７を有している。また、測位装置８を備えるようにしてもよい。
【００２６】方位センサ１はＭＲ素子等の地磁気センサを備えた電子方位計測装置からなり、地磁気との角度を検出し方位情報を制御部３に送出する。
【００２７】撮像部２は撮像手段として、図１（ｂ）に示すように、撮像レンズ２１１、ズーム部２１２を含む光学系２１、図示しないＣＣＤ及びＣＣＤ駆動部を含む信号変換部２２及び信号処理部２３からなっている。
  　
【００３２】また、表示部（表示手段）７はビデオメモリ、ビデオエンコーダ及び液晶表示装置からなり、ビデオエンコーダは制御部３からビデオメモリに出力された画像データをビデオ信号に変換し、液晶表示装置に出力する。液晶表示装置は出力されたビデオ信号を画面表示する。また、表示部７は制御部３の表示制御により撮影範囲を表示することができる。
  　
【００３４】図２は制御部３の機能構成例を示すブロック図であり、ＣＰＵはプログラム格納メモリ等に格納されている下記機能に対応のプログラムの実行制御を行う。図２の一点鎖線の枠内で、制御部３は、撮像部２の撮像動作を制御する撮像制御手段３１、方位センサ１からの方位情報（又は、方位情報及び測位装置８からの位置情報及び／又はズーム量）をもとに撮影範囲情報を決定する撮影範囲情報決定手段３２、撮影範囲情報決定手段３２によって決定された撮影範囲情報の表示部７（又は、後述する光学ファインダ７’）への表示制御を行う表示制御手段３３、ズームキー４３の操作により指定されるズーム量に基づいてズーム部２１２を制御するズーム制御手段３４、撮影待機時の被写体方向又は撮影時の被写体画像方向の方位を示す方位データの一時記憶メモリへの記憶制御を行う記憶制御手段３５、撮影画像に撮影方位データ等の撮影範囲決定情報を関連付けて保存記憶メモリに保存記憶する保存記憶制御手段３６及び画像再生モード下で画像再生制御を行う再生制御手段３７を備えている。なお、上記説明では保存記憶制御手段３６は撮影画像に方位データ等の撮影範囲決定情報を対応付けて保存記憶メモリに保存記憶するようにしたが、撮影画像に撮影範囲決定情報を基に決定された撮影範囲情報を対応付けて保存記憶するようにしてもよい。
【００３５】また、デジタルカメラ１００に測位装置８が設けられている場合は、記憶制御手段３５は撮影位置データを含む撮影範囲決定情報の一時記憶メモリへの記憶制御を行うように構成し、保存記憶制御手段３６は撮影画像に方位情報及び位置情報（及び／またはズーム量）を関連付けて保存記憶メモリに保存記憶するように構成してもよい（この場合も、撮影画像に撮影範囲情報を対応付けて保存記憶するようにしてもよい）。
  　
【００４０】図５は撮影範囲表示の他の一実施例を示す図であり、液晶ファインダ（液晶表示画面）７０に撮影範囲を表示するようにした例である。図５（ａ）の例は、撮影待機時に方位センサ１で得た方位情報を基に、被写体方向の方位（撮影方位）８１（「Ｎ」（北））及び視野の両端の方位８２（「Ｎ．Ｗ」（北西））、方位８３（「Ｎ．Ｅ」（北東））を取得し、液晶表示画面７０に表示されているスルー画像に重畳させて、液晶表示画面７０の中心上部、左端及び右端に方位８１、８２、８３を文字表示することにより撮影範囲を表示し、更に撮影モード８７を表示するようにした例である。また、この例で、ズーム撮影時にズーム量（ズーム倍率）を表示することもできる。なお、撮影後、保存記憶されている撮影画像を再生表示する場合も同様の撮影範囲表示が行なわれる。
【００４１】また、図５（ｂ）の例では再生表示されたパノラマ画像８８’に重畳表示された被写体方向の方位８１’（「Ｓ」（南））を中心とした方位８２’（「Ｅ」（東））、方位８３’（「Ｗ」（西））で示される視野が撮影範囲であることが示され、又撮影モード８７「パノラマ」が表示されている。また、この例で、ズーム撮影時にズーム量（ズーム倍率）表示することもできる。
  　
【００５０】なお、デジタルカメラ１００のパノラマ撮影モードが複数枚の撮影画像をつなぎ合わせてパノラマ画像を生成する方式の場合（つまり、図９に示すような複数回のシャッター操作で得た画像をつなぎ合わせたパノラマ画像の場合）は、撮影範囲情報決定手段３２はスルー画像表示時には通常撮影時と同じように撮影範囲を決定する。しかし、パノラマ画像全体の撮影範囲はパノラマ撮影用の複数枚の画像撮影が完了しないと撮影範囲を決定できないので、ステップＳ１５、１６に示すようにパノラマ撮影終了後に最初と最後の撮影画像の方位データ等の各撮影範囲決定情報を関連付けて記憶し、その後の再生表示時に撮影範囲を決定して表示するようにする。
（以上、刊行物２の記載）
　 
ウ．刊行物１に記載された発明 
（１）刊行物１の段落【００１５】、【００３１】等の記載によると、刊行物１に記載された発明は、画像表示装置を有する。
　
（２）刊行物１の【００２４】−【００２９】の記載によれば、刊行物１に記載された発明は「パノラマ映像信号ビデオメモリ部」を有し、上記メモリ部には、回転雲台１８を含むカメラ部４の縦に１ライン配置されたリニアイメージセンサ２上に結像した映像信号を映像データ変換部３に取り入れ、ディジタルデータに変換後シリアル又はパラレルデータの形態とされた映像データ２０が記録されているといえる。
　上記記録の具体的な態様は、回転雲台１８の部分に設置され回転角度２１を出力する回転角検出部５からの回転角度２１の情報を得て、方位角情報２２を生成し、方位角情報２２をうけ、パノラマ映像信号ビデオメモリ部７へ映像信号を記憶するために書き込みアドレスのアドレスデータ２３を発生し、パノラマ映像信号ビデオメモリ部７の書き込みアドレスを制御することにより、カメラ部４からの映像データ２０は、パノラマ映像信号ビデオメモリ部７の所定のアドレスに格納記憶される構成であって、カメラ部４が方位角θn で撮像した映像データ２０をビデオメモリ３４のメモリアドレスｎに格納記憶するように、方位角θn+1はメモリアドレスｎ＋１に、方位角θn+2はメモリアドレスｎ＋２に格納記憶されるといえる。
　以上のことから、パノラマ映像信号ビデオメモリ部には、所定の方位角で撮像した縦に１ラインの映像データを対応する所定のメモリアドレスに格納することで、パノラマ映像信号が記憶されているといえる。
　
（３）刊行物１の【００３０】−【００３１】の記載によれば、刊行物１に記載された発明では、表示指定情報をカメラ部の方位角検出系を基準にした方位に変換した表示範囲情報として読み出しアドレス演算部に供給することで、パノラマ映像信号ビデオメモリ部から指定の表示範囲の映像データを読み出し、所望の方位及び視野角範囲を選択して画像表示装置に表示しているといえる。
　上記表示される画像は、パノラマ映像信号ビデオメモリ部に記憶された画像であるからパノラマ映像信号を再生したパノラマ映像であるといえる。
　以上のことから、刊行物１には、表示指定情報をカメラ部の方位角検出系を基準にした方位に変換した表示範囲情報として読み出しアドレス演算部に供給することで、パノラマ映像信号ビデオメモリ部から指定の表示範囲の映像データを読み出し、所望の方位及び視野角範囲を選択して、パノラマ映像を画像表示装置に表示する構成が開示されている。
　
（４）刊行物１の【請求項１】，段落【０００１】，【００１５】等の記載によると、刊行物１に記載された発明は、パノラマ映像表示システムに関する発明であるといえる。
　
（５）以上（１）ないし（４）の記載事項をまとめると、刊行物１には以下の発明（以下、刊行物１発明という。）が開示されているといえる。
　画像表示装置と、
　パノラマ映像信号ビデオメモリ部には、所定の方位角で撮像した縦に１ラインの映像データを対応する所定のメモリアドレスに格納することで、パノラマ映像信号が記憶され、
　表示指定情報をカメラ部の方位角検出系を基準にした方位に変換した表示範囲情報として読み出しアドレス演算部に供給することで、パノラマ映像信号ビデオメモリ部から指定の表示範囲の映像データを読み出し、所望の方位及び視野角範囲を選択して、パノラマ映像を画像表示装置に表示する、
　パノラマ映像表示システム。
　
エ．対比 
　補正後発明と刊行物１発明とを対比する。 
　
 （１）刊行物１発明の「画像表示装置」は、画像を表示する手段といえるから、補正後発明の「表示手段」に相当する。
　
（２）刊行物１発明の「パノラマ映像」は補正後発明の「パノラマ画像」といえ、また刊行物１発明のパノラマ映像信号ビデオメモリ部は映像信号を記録しているから、補正後発明の記録手段といえる。
　そして、刊行物１発明では、「所定の方位角で撮像した縦に１ラインの映像データを対応する所定のメモリアドレスに格納することで、パノラマ映像信号が記憶され」るのであるから、メモリアドレスは所定の方位角を表しているといえ、この点で補正後発明の「方位を示す情報」に相当しているといえる。
　また、表示の際には「表示指定情報をカメラ部の方位角検出系を基準にした方位に変換した表示範囲情報として読み出しアドレス演算部に供給することで、パノラマ映像信号ビデオメモリ部から指定の表示範囲の映像データを読み出し、所望の方位及び視野角範囲を選択して、パノラマ映像を画像表示装置に表示」している。
　上記「所望の方位及び視野角範囲を選択して、パノラマ映像を画像表示装置に表示」は、刊行物１発明の目的「本発明の目的は、パノラマ撮像情報をもとに表示装置にて任意の方位を中心にして表示を行い、かつ任意の方向の画像を表示装置にて表示することができるパノラマ映像表示システムを提供することにある。」（【００１５】）を見れば、任意の方位を中心にしたパノラマ映像を表示することであるといえるから、パノラマ映像を所定の方位が中心となるように、前記表示手段に表示させているといえ、この点で補正後発明の「当該パノラマ画像を所定の方位が中心となるように前記表示手段に表示させる」ことと相違がない。
　さらに、上記表示に用いられる（読み出し）アドレスは、方位を示す情報であるから、上記アドレスに基づいて読み出され表示されるパノラマ映像は方位を示す情報に基づいて表示されているといえる。
　以上のことから、刊行物１発明では「記録手段に記録されたパノラマ画像に関連付けて記録されている方位を示す情報に基づいて、当該パノラマ画像を所定の方位が中心となるように、前記表示手段に表示させ」ているといえ、当該表示が可能となる制御手段も当然有していることは明らかである。
　したがって、刊行物１発明は「記録手段に記録されたパノラマ画像に関連付けて記録されている方位を示す情報に基づいて、当該パノラマ画像を所定の方位が中心となるように、前記表示手段に表示させる表示制御手段」を有しているといえる。
　もっとも、補正後発明では、当該パノラマ画像を所定の方位が中心となるように、「且つ、前記方位を示す第１の情報と当該第１の情報と種類が異なる方位を示す第２の情報とともに」前記表示手段に表示させるのに対して、
　刊行物１発明では、パノラマ画像を所定の方位が中心となるように、表示手段に表示させるものの、方位を示す情報を表示することは記載がない点で相違する。
　
（３）刊行物１発明の「パノラマ映像表示システム」は、カメラ部で撮像した画像をパノラマ映像信号ビデオメモリ部に記録した後、表示手段で表示しているから、「撮像画像再生装置」ともいえる。
　
（４）まとめ（一致点・相違点） 
　以上まとめると、補正後発明と刊行物１発明とは以下の一致点で一致し相違点で相違する。 
（一致点） 
　表示手段と、
　記録手段に記録されたパノラマ画像に関連付けて記録されている方位を示す情報に基づいて、当該パノラマ画像を所定の方位が中心となるように、前記表示手段に表示させる表示制御手段と
　を具備したことを特徴とする撮像画像再生装置。　
（相違点） 
　補正後発明では、当該パノラマ画像を所定の方位が中心となるように、「且つ、前記方位を示す第１の情報と当該第１の情報と種類が異なる方位を示す第２の情報とともに」前記表示手段に表示させるのに対して、
　刊行物１発明では、パノラマ画像を所定の方位が中心となるように、表示手段に表示させるものの、方位を示す情報を表示することは記載がない点。
 　 
オ．判断 
　上記相違点について、刊行物２には、「カメラの撮影範囲表示・記憶技術」（段落【０００１】）に関し、「撮影後、保存記憶されている撮影画像を再生表示する場合も同様の撮影範囲表示が行なわれる。」（段落【００４０】）こと、また、「図５（ｂ）の例では再生表示されたパノラマ画像８８’に重畳表示された被写体方向の方位８１’（「Ｓ」（南））を中心とした方位８２’（「Ｅ」（東））、方位８３’（「Ｗ」（西））で示される視野が撮影範囲であることが示され、又撮影モード８７「パノラマ」が表示されている。」（段落【００４１】）ことが記載されており、そこにはパノラマ画像に被写体方向の方位「Ｓ」（南）を中心とした方位「Ｅ」（東）、方位「Ｗ」（西）と、方位「Ｅ」（東）、「Ｓ」（南）、「Ｗ」（西）の下に「▼」の記号を重畳表示させることが記載されており、上記「▼」の記号は、方位「Ｅ」（東）、方位「Ｓ」（南）、方位「Ｗ」（西）を示す情報とは種類が異なる方位を示す情報ともいえる。
　つまり、刊行物２には、パノラマ画像を、方位「Ｅ」（東）、方位「Ｓ」（南）、方位「Ｗ」（西）を示す情報（「第１の情報」に相当）と、当該方位「Ｅ」（東）、方位「Ｓ」（南）、方位「Ｗ」（西）を示す情報（第１の情報）と種類が異なる方位を示す情報（「第２の情報」に相当）とともに表示手段に表示させる技術が示されている。
　したがって、刊行物１発明において、パノラマ画像の方位を容易に理解できるように、パノラマ画像を所望の方位を中心となるように、「且つ、前記方位を示す第１の情報と当該第１の情報と種類が異なる方位を示す第２の情報とともに」表示手段に表示させることは当業者が容易に想到できることである。
　仮に、補正後発明の「第２の情報」が、本願明細書（段落【００６８】）に記載の「方位角度を示す目盛り」としても、パノラマ画像に付加する方位情報をどのような態様とするかは、以下の周知文献にあるとおり様々な構成から適宜選択可能なものであり、上記相違点の構成とすることは、当業者が容易になしえたことである。
　
周知文献１：特開２００２−２１３９８４号公報（例えば図１３）
周知文献２：特開２００１−１５４６４７号公報（例えば【００４２】−【００４３】、図２）
周知文献３：特開２００６−２８５５４６号公報（例えば図７）
周知文献４：特開平８−１８１９０２号公報（例えば【００２５】、図７）
　
カ．効果 
　以上のように、上記相違点は、当業者が容易に想到し得たものと認められ、補正後発明全体としてみても格別のものはなく、その作用効果も、上記相違点に係る構成の採用に伴って当然に予測される程度のものにすぎず、格別顕著なものがあるとは認められない。 
 　 
キ．まとめ（独立特許要件） 
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。
第３　本願発明について 
１．本願発明 
　平成２６年４月２２日付けの手続補正は上記のとおり却下されたので、本願の請求項１ないし９に係る発明は、平成２５年９月１３日 付け手続補正書により補正された特許請求の範囲の請求項１ないし９に係る発明のとおりであるところ、そのうち、請求項１に係る発明（以下「本願発明」という。）は以下のとおりのものである。
 　
　　【請求項１】 
　表示手段と、
　記録手段に記録されたパノラマ画像に関連付けて記録されている方位を示す情報に基づいて、当該パノラマ画像を所定の方位が中心となるように、且つ、前記方位を示す情報とともに前記表示手段に表示させる表示制御手段と
を具備したことを特徴とする撮像画像再生装置。
 　 
２．刊行物の記載
　審査官が拒絶の査定で引用した刊行物である特開２００１−１６９２２３号公報（刊行物１）には、上記「第２　２．（２−３）イ．（ａ）」に示したとおりの事項が記載されている。同じく、拒絶の査定で引用した刊行物である特開２００２−９４８７０号公報（刊行物２）には、上記「第２　２．（２−３）イ．（ｂ）」に示したとおりの事項が記載されている。
 　 
３．刊行物１記載の発明 
　上記刊行物１には、上記「第２　２．（２−３）ウ．（５）」に示した、刊行物１発明が記載されている。 
 　 
４．対比・判断 
　本件補正発明は、本願発明に、上記「第２　１．」の補正事項の補正をしたものである。
　したがって、本願発明は、本件補正発明から上記補正事項の補正を戻す関係にあり、その内容は、方位を示す情報について、「方位を示す第１の情報と当該第１の情報と種類が異なる方位を示す第２の情報」と特定されていた構成を、単に「方位を示す情報」となるように、限定事項を削除する関係にある。
　そして、本願発明と引用発明との対比は上記「第２　２．（２−３）エ．対比」と、上記削除される構成を除いて同様に対比される。 
　そうすると、本願発明の特定事項の全てを含み、さらに他の特定事項を付加したものに相当する本件補正発明が上記「第２　２．（２−３）」に記載したとおり、刊行物１、刊行物２に記載された発明に基づいて、当業者が容易に発明をすることができたものであるから、本願発明も、同様の理由により、刊行物１、刊行物２に記載された発明に基づいて、当業者が容易に発明をすることができたものである。
 　 
５．むすび  
　以上のとおり、本願発明は、刊行物１、刊行物２に記載された発明に基づいて、当業者が容易に発明をすることができたものであるから、特許法第２９条第２項の規定により特許を受けることができない。 
　したがって、残る請求項２ないし９に係る発明について検討するまでもなく、本願は拒絶すべきものである。 
 　 
　よって、結論のとおり審決する。